(57)【要約】【課題】録音中の撮影が容易に操作可能なデータ記録装置を提供することである。【解決手段】音声データ記録部１で音声データを取得して記録し、画像データ記録部２で画像データを取得して記録し、上記音声データを記録する際に音声データを記録する動作に関する情報を表示部３に表示する。上記音声データ記録部１による音声データの記録中に、第１の検出部４で第１の所定の操作を行ったと検出した場合には、画像記録準備部５により画像データ記録部２を非動作状態から画像記録準備状態に移行させる。また、上記画像データ記録部２が上記画像記録準備状態であるか否かを第２の検出部６で検出し、該第２の検出部６により、画像データ記録部２が画像記録準備状態であると検出した場合に、制御部９により画像データの記録が可能であることを表示部３に表示させる。【選択図】    図１
2005012703.tif 000002
【特許請求の範囲】
【請求項１】
音声データを取得し記録する音声データ記録手段と、
画像データを取得し記録する画像データ記録手段と、
上記音声データを記録する際、上記音声データを記録する動作に関する情報を表示する表示手段と、
第１の所定操作が行われたか否かを検出する第１の検出手段と、
上記音声データ記録手段による上記音声データの記録中に、第１の所定の操作が行われた場合には上記画像データ記録手段を、画像データを記録することができない非動作状態から画像データを記録することが可能な画像記録準備状態に移行させる画像記録準備手段と、
上記画像データ記録手段が上記画像記録準備状態となったか否かを検出する第２の検出手段と、
上記第２の検出手段により、上記画像データ記録手段が上記画像記録準備状態となったことが検出された場合には、画像データの記録が可能であることを示す表示を上記表示手段を用いて行うように制御する制御手段と、
を具備することを特徴とするデータ記録装置。
【請求項２】
上記制御手段は、上記画像データの記録が可能であることを示す表示を開始してから所定時間経過後、及び／または第２の所定の操作が行われた場合には、上記画像データの記録が可能であることを示す表示を停止し、上記音声データを記録する動作に関する情報を表示する通常表示を行うように上記表示手段を制御することを特徴とする請求項１に記載のデータ記録装置。
【請求項３】
上記制御手段は、上記第２の検出手段により上記画像データ記録手段が上記画像記録準備状態となったことが検出された場合には、上記画像データ記録手段が取得した画像データを上記表示手段を用いて表示させるように制御することを特徴とする請求項１に記載のデータ記録装置。
【請求項４】
上記制御手段は、上記第２の検出手段により上記画像データ記録手段が上記画像記録準備状態となったことが検出された場合には、上記音声データを記録する動作に関する情報と共に、上記画像データ記録手段が取得した画像データを上記表示手段を用いて表示させるように制御することを特徴とする請求項３に記載のデータ記録装置。
【請求項５】
上記第１の検出手段は、該データ記録装置本体が所定の姿勢となったか否かを検出することを特徴とする請求項１に記載のデータ記録装置。
【請求項６】
該データ記録装置本体は、平面上に置いた場合には該データ記録装置本体が上記所定の姿勢とならない形状であり、且つ操作者が把持した場合に上記所定の姿勢となる形状であることを特徴とする請求項５に記載のデータ記録装置。
【請求項７】
上記第１の検出手段は、操作者が所定の音声キーワードを発したか否かを検出することを特徴とする請求項１に記載のデータ記録装置。
【請求項８】
更に、画像データ取得の際の画角を決定するためのファインダを具備し、上記第１の検出手段は操作者が上記ファインダを覗いているか否かを検出することを特徴とする請求項１に記載のデータ記録装置。
【請求項９】
上記第１の検出手段は、上記音声データ記録手段に入力される音声データが所定時間以上無音であるか否かを検出することを特徴とする請求項１に記載のデータ記録装置。
【請求項１０】
上記音声データ記録手段は、所定レベル以上の音声データの入力があった場合に音声データの記録を開始する音声起動録音を行うことが可能であり、上記第１の検出手段は、上記音声起動録音の開始を検出することを特徴とする請求項１に記載のデータ記録装置。
【請求項１１】
上記第１の検出手段は、該データ記録装置を操作するための所定の操作スイッチが操作されたか否かを検出することを特徴とする請求項１に記載のデータ記録装置。
【請求項１２】
上記音声データ記録手段による音声データの記録が停止した場合に上記画像記録手段を画像記録準備状態から上記非動作状態に移行させる画像記録準備解除手段を更に具備することを特徴とする請求項１に記載のデータ記録装置。
【発明の詳細な説明】
【０００１】
【発明の属する技術分野】
本発明は、音声及び画像の記録が可能な電子機器に関し、より詳細には、録音中の撮影が容易なデータ記録装置に関するものである。
【０００２】
【従来の技術】
近年、データ記録装置に於いて、音声データの記録と共に画像を撮影して記録する機能を有した電子機器が開発されている。例えば、画像記録モードの場合は液晶モニタに撮影対象を表示し、音声記録モードの場合には該液晶モニタに音声関連の情報を表示して、撮影及び録音を行う技術が知られている（例えば、特許文献１参照）。
【０００３】
【特許文献１】
特開平１１−２１３５２３号公報
上述した特許文献１は、現在の記録モードを液晶モニタに表示することで、ユーザにモードを告知しながら録音及び撮影が可能である。
【０００４】
【発明が解決しようとする課題】
しかしながら、上述した特許文献１では、ユーザが手動によってモードを切り換えなければならず、煩わしいものであった。加えて、録音中には撮影することができないという課題を有していた。
【０００５】
本発明は、上記実状に鑑みてなされたものであり、録音中の撮影が容易に操作可能なデータ記録装置を提供することを目的とする。
【０００６】
【課題を解決するための手段】
すなわち請求項１に記載の発明は、音声データを取得し記録する音声データ記録手段と、画像データを取得し記録する画像データ記録手段と、上記音声データを記録する際、上記音声データを記録する動作に関する情報を表示する表示手段と、第１の所定操作が行われたか否かを検出する第１の検出手段と、上記音声データ記録手段による上記音声データの記録中に、第１の所定の操作が行われた場合には上記画像データ記録手段を、画像データを記録することができない非動作状態から画像データを記録することが可能な画像記録準備状態に移行させる画像記録準備手段と、上記画像データ記録手段が上記画像記録準備状態となったか否かを検出する第２の検出手段と、上記第２の検出手段により、上記画像データ記録手段が上記画像記録準備状態となったことが検出された場合には、画像データの記録が可能であることを示す表示を上記表示手段を用いて行うように制御する制御手段と、を具備することを特徴とする。
【０００７】
このように構成することにより、データ記録装置の録音中での撮影が容易に操作可能になる。
【０００８】
請求項２に記載の発明は、請求項１に記載の発明に於いて、上記制御手段は、上記画像データの記録が可能であることを示す表示を開始してから所定時間経過後、及び／または第２の所定の操作が行われた場合には、上記画像データの記録が可能であることを示す表示を停止し、上記音声データを記録する動作に関する情報を表示する通常表示を行うように上記表示手段を制御することを特徴とする。
【０００９】
このように構成することにより、表示手段によって現在の操作を容易に確認することができる。
【００１０】
請求項３に記載の発明は、請求項１に記載の発明に於いて、上記制御手段は、上記第２の検出手段により上記画像データ記録手段が上記画像記録準備状態となったことが検出された場合には、上記画像データ記録手段が取得した画像データを上記表示手段を用いて表示させるように制御することを特徴とする。
【００１１】
このように構成することにより、表示手段によって取得した画像データを容易に確認することができる。
【００１２】
請求項４に記載の発明は、上記制御手段は、上記第２の検出手段により上記画像データ記録手段が上記画像記録準備状態となったことが検出された場合には、上記音声データを記録する動作に関する情報と共に、上記画像データ記録手段が取得した画像データを上記表示手段を用いて表示させるように制御することを特徴とする。
【００１３】
このように構成することにより、撮影中でも音声データの記録中であることを確認することができる。
【００１４】
請求項５に記載の発明は、請求項１に記載の発明に於いて、上記第１の検出手段は、該データ記録装置本体が所定の姿勢となったか否かを検出することを特徴とする。
【００１５】
このように構成することにより、装置本体の姿勢に応じて容易に撮影状態であるか否かを確認することができる。
【００１６】
請求項６に記載の発明は、請求項５に記載の発明に於いて、該データ記録装置本体は、平面上に置いた場合には該データ記録装置本体が上記所定の姿勢とならない形状であり、且つ操作者が把持した場合に上記所定の姿勢となる形状であることを特徴とする。
【００１７】
このように構成することにより、装置本体の姿勢に応じて容易に撮影状態であるか否かを確認することができる。
【００１８】
請求項７に記載の発明は、請求項１に記載の発明に於いて、上記第１の検出手段は、操作者が所定の音声キーワードを発したか否かを検出することを特徴とする。
【００１９】
このように構成することにより、所定の音声キーワードによって容易に撮影状態であるか否かを確認することができる。
【００２０】
請求項８に記載の発明は、請求項１に記載の発明に於いて、更に、画像データ取得の際の画角を決定するためのファインダを具備し、上記第１の検出手段は操作者が上記ファインダを覗いているか否かを検出することを特徴とする。
【００２１】
このように構成することにより、ファインダを覗いているか否かによって容易に撮影状態であるか否かを確認することができる。
【００２２】
請求項９に記載の発明は、請求項１に記載の発明に於いて、上記第１の検出手段は、上記音声データ記録手段に入力される音声データが所定時間以上無音であるか否かを検出することを特徴とする。
【００２３】
このように構成することにより、所定時間以上無音であるか否かによって容易に撮影状態であるか否かを確認することができる。
【００２４】
請求項１０に記載の発明は、請求項１に記載の発明に於いて、上記音声データ記録手段は、所定レベル以上の音声データの入力があった場合に音声データの記録を開始する音声起動録音を行うことが可能であり、上記第１の検出手段は、上記音声起動録音の開始を検出することを特徴とする。
【００２５】
このように構成することにより、音声データの入力の有無によって容易に撮影状態であるか否かを確認することができる。
【００２６】
請求項１１に記載の発明は、請求項１に記載の発明に於いて、上記第１の検出手段は、該データ記録装置を操作するための所定の操作スイッチが操作されたか否かを検出することを特徴とする。
【００２７】
このように構成することにより、所定のスイッチ操作が行われることで撮影状態を容易に確認することができる。
【００２８】
請求項１２に記載の発明は、請求項１に記載の発明に於いて、上記音声データ記録手段による音声データの記録が停止した場合に上記画像記録手段を画像記録準備状態から上記非動作状態に移行させる画像記録準備解除手段を更に具備することを特徴とする。
【００２９】
このように構成することにより、撮影処理が終了したことを容易に確認することができる。
【００３０】
【発明の実施の形態】
以下、図面を参照して本発明の実施の形態を説明する。
【００３１】
（第１の実施の形態）
図１は、本発明の第１の実施の形態であるデータ記録装置の基本的な構成を示したブロック図である。
【００３２】
図１に於いて、制御部９は本データ記録装置全体の動作を司るもので、音声データ記録部１と、画像データ記録部２と、表示部３と、第１の検出部４及び第２の検出部６と、画像記録準備部５と、画像記録準備解除部７と、構図決定部８と、音声再生部１０とが接続されている。
【００３３】
上記音声データ記録部１は、音声データを取得して該データを記録するためのものである。同様に、画像データ記録部２は、画像データを取得して記録するためのものである。
【００３４】
上記表示部３には、上記音声データを記録する際、上記音声データを記録する動作に関する情報が表示される。
【００３５】
また、第１の検出部４では第１の所定操作が行われたか否かが検出される。そして、画像記録準備部５では、上記音声データ記録部１による音声データの記録中に、上記第１の所定の操作が行われた場合には画像データ記録部２を、画像データを記録することができない非動作状態から画像データを記録することが可能な画像記録準備状態に移行させる。
【００３６】
更に、第２の検出部６では、上記画像データ記録部２が上記画像記録準備状態となったか否かが検出される。そして、この第２の検出部６によって、上記画像データ記録部２が画像記録準備状態となったことが検出された場合には、画像データの記録が可能であることを示す表示が表示部３になされるように、制御部９で制御される。
【００３７】
また、上記構図決定部８は、画像データ取得の際の構図を決定するためのもので、液晶画面等により構成される。
【００３８】
上記画像記録準備解除部７は、上記音声データ記録部１による音声データの記録が停止した場合に、上記画像データ記録部２を画像記録準備状態から上記非動作状態に移行させるためのものである。
【００３９】
尚、音声再生部１０は、スピーカ等で構成され、音声データ記録部１に記録された音声データを再生するためのものである。
【００４０】
図２は、本発明の第１の実施の形態に係るデータ記録装置の具体的な構成を示した外観図であり、（ａ）は表面側を示した図、（ｂ）は裏面側を示した図である。
【００４１】
データ記録装置の本体１５の表面側には、例えばＬＣＤ等で構成される液晶画面１６が設けられている。この液晶画面１６は上記表示部３に対応しており、音声を録音する際、該音声を録音する動作に関する情報等が表示される。また、この液晶画面１６は、撮影時には構図決定部８に対応するファインダとして機能するもので、画像を取得する際の構図決定用として用いられる。
【００４２】
上記液晶画面１６の下方には、録音釦１７、集中釦１８、メニュー釦１９、消去釦２０の、録音、再生時に使用される各種操作釦が配設されている。上記集中釦１８は、例えば停止、スキップ、逆スキップ、再生、早送り、早戻し等の操作を行うための釦が配置されている。
【００４３】
また、上記メニュー釦１９は、液晶画面１６に表示される各種操作メニューを表示させるための切換釦であり、フォルダ切換用の釦も兼用している。
【００４４】
上記音声データ記録部１は、音声データを取得して該データを記録するためのものである。同様に、画像データ記録部２は、画像データを取得して記録するためのものである。
【００４５】
また、データ記録装置の本体１５の側面部には、撮影時の操作を行うためのレリーズ釦２２が配設されている。
【００４６】
データ記録装置の本体１５の背面側には、撮像レンズ２５が設けられている。この撮像レンズ２５の後方の本体１５内に、被写体を撮影するための撮像素子（図示せず）が設けられている。これにより、撮影時に被写体を取得することができる。
【００４７】
そして、撮像レンズ２５の下方には、閃光発光を行うためのストロボ２６が内蔵されている。更に、データ記録装置本体１５の下方には、本体の電源スイッチ２７と、電池を収納するための電池蓋２８が設けられている。
【００４８】
また、このデータ記録装置本体１５の上面部には、内蔵マイク３０と、マイクジャック３１と、イヤホンジャック３２が設けられている。上記内蔵マイク３０は、音声を電気信号に変換するためのものである。また、マイクジャック３１は、外部マイク等の外部装置からの音声信号を入力するためのライン入力端子である。同様に、イヤホンジャック３２は、イヤホン、ヘッドホン等の外部装置に音声信号を出力するための出力端子である。
【００４９】
尚、図２には示されないが、図１に示される音声再生部１０に対応して、本体１５にスピーカを設けてもよい。
【００５０】
次に、図３のフローチャートを参照して、本実施の形態のデータ記録装置に於ける録音処理動作について説明する。
【００５１】
この録音処理のルーチンに入ると、先ずステップＳ１に於いてメモリ残量が判定され、次いでステップＳ２にて電源電圧が所定値以上であるか否かが判定される。上記ステップＳ１にてメモリ残量が無い場合、或いはステップＳ２にて電源電圧が所定電圧値に満たない場合は、録音処理に不適切であるとして、ステップＳ１５に移行して録音停止処理がなされる。その後、本ルーチンを抜ける。
【００５２】
一方、上記ステップＳ１及びＳ２にて、メモリ残量、電源電圧値とも十分である場合は、ステップＳ３に移行して、液晶画面１６に録音情報が表示されると共に、内蔵マイク３０等を介して音声データ記録部１に音声データが記録される。
【００５３】
図４（ａ）は、液晶画面１６に録音情報が表示された例を示した図である。例えば、液晶画面１６内には、録音状態であることを表すマーク１６ａや録音時間を表す時計表示１６ｂ等が表示される。
【００５４】
次いで、ステップＳ４に於いて、撮影準備の操作がなされたか否かが検出される。ここで、検出される撮影準備操作とは、データ記録装置本体が所定の姿勢となったか否か、操作者が所定の音声キーワードを発したか否か、操作者がファインダである液晶画面１６を覗いているか否か、音声データ記録部１に入力される音声データが所定時間以上無音であるか否か、所定レベル以上の音声データの入力があった場合に音声データの記録を開始する音声起動録音が開始されたか否か、或いは該データ記録装置を操作するための所定の操作スイッチが操作されたか否か、等である。
【００５５】
尚、所定の操作スイッチが操作されたか否かが検出される場合の所定の操作スイッチの操作とは、インデックス釦が押される、一時停止釦が押される、またはレリーズ釦に手がかけられた場合等である。
【００５６】
このステップＳ４で、上述した撮影準備操作が検出されない場合は後述するステップＳ１４へ移行し、該操作が検出された場合はステップＳ５に移行する。このステップＳ５では、例えばカメラ機能の電源がオンにされる等、撮影動作に関する準備が開始される。
【００５７】
次に、ステップＳ６及びＳ７にて、上述したステップＳ１及びＳ２と同様に、メモリ残量の判定及び電源電圧値が判定される。ここで、ステップＳ６にてメモリ残量が無い場合、或いはステップＳ７にて電源電圧が所定電圧値に満たない場合は、録音処理に不適切であるとして、ステップＳ１５に移行して録音停止処理がなされる。その後、本ルーチンを抜ける。
【００５８】
一方、上記ステップＳ６及びＳ７にて、メモリ残量、電源電圧値とも十分である場合は、ステップＳ８に移行する。そして、このステップＳ８にて、液晶画面１６に録音情報が表示されると共に、内蔵マイク３０等を介して音声データ記録部１に音声データが記録される。
【００５９】
図４（ｂ）は、録音情報と撮影情報とが共に表示された液晶画面１６の表示例を示した図である。例えば、この場合、液晶画面１６には、時計表示１６ｂと共に現在の撮影画像１６ｃが表示されている。
【００６０】
次に、ステップＳ９では、撮影スイッチ、この場合レリーズ釦２２の状態が検出される。ここで、レリーズ釦２２が押されていれば、ステップＳ１０に移行して撮影している画像のデータが、画像データ記録部２に記録される。その後、上記ステップＳ６に移行する。
【００６１】
上記ステップＳ９にて撮影スイッチが検出されない場合は、ステップＳ１１にて撮影以外のスイッチの状態が検出される。また、上記ステップＳ９及びＳ１１にて何れのスイッチも押されない場合は、ステップＳ１２に移行して所定の一定時間が経過したか否かが判定される。ここで、上記一定時間が経過していない場合は、上記ステップＳ６へ移行して上述した処理が繰り返される。
【００６２】
一方、上記ステップＳ１１にて、撮影以外のスイッチ、例えば、停止スイッチ等が押された場合、及び上記ステップＳ１２にて一定時間が経過した場合は、ステップＳ１３へ移行して撮影処理が停止される。このとき、撮影処理が停止されると共に、液晶画面１６から画像情報の表示が消去される。
【００６３】
図４（ｃ）は、この撮影処理停止による画像表示が消去されて録音情報のみが表示された状態の例を示した図である。この場合、図４（ａ）と同様に、録音情報に関する表示マーク１６ａ、時計表示１６ｂが表示されている。
【００６４】
そして、ステップＳ１４に於いて、集中釦１８内の録音停止スイッチの状態が検出される。ここで、該録音停止スイッチが押されていなければ、上記ステップＳ１に移行して、上述した処理が繰り返される。
【００６５】
一方、上記ステップＳ１４にて録音停止スイッチが押されていれば、続くステップＳ１５にて録音停止処理がなされた後、本ルーチンを抜ける。
【００６６】
ところで、上述したステップＳ４に於ける撮影準備操作検出の１つとして、データ記録装置本体が所定の姿勢となったか否かが検出されるが、以下、これについて説明する。
【００６７】
本データ記録装置の録音時の使用状態は、例えば、図５に示されるように、撮影者が手３５で装置本体１５を把持して、録音釦１７が親指等で操作されるようにする。つまり、録音時は、本体１５の長手方向を垂直方向として、本体１５が把持されている。このとき、カメラ機能側の電源はオフ状態である。
【００６８】
そして、撮影時は、例えば図６に示されるように、本体１５の長手方向が水平方向であり、撮影者は両手３５で本体１５を把持した状態となり、装置本体１５は所定の姿勢となる。この姿勢が第１の検出部４で検出されると、カメラ機能側の電源がオンになって撮影準備状態となる。この場合、第１の検出部４は角速度センサ等で構成される。
【００６９】
更に、撮影者は液晶画面１６をファインダとして見ながら被写体（図示せず）を捉え、レリーズ釦２２を押下することによって撮影が実行されるわけである。
【００７０】
尚、ファインダが光学式等、接眼タイプの場合には、第１の検出部４として上記ファインダの近傍に明るさセンサを配置し、操作者がファインダを覗いたか否かを判別可能なように構成し、撮影準備操作を検出するようにしてもよい。
【００７１】
また、図７はデータ記録装置本体１５を机等に載置した状態の例を示した図でり、（ａ）は外観斜視図、（ｂ）は本体１５の下方側から見た図である。
【００７２】
この場合、液晶画面１６と反対側である撮像レンズ（図７には示されない）側に、装置本体１５の重心があるものとする。したがって、本体１５を机３６等に載置しようとすると、この重心配置によって必ず撮像レンズ側が下になる。そして、この姿勢ではカメラ機能側の電源はオフになるようにする。
【００７３】
このようにして、録音中に本体の状態変化を検出するか、または録音モードに付随するスイッチを操作することで自動的に撮影準備を行い、撮影準備完了と共に本体の表示部に録音及び撮影の２つのモードの表示を行うので、録音中の撮影を容易に操作可能とすることができる。
【００７４】
（第２の実施の形態）
次に、本発明の第２の実施の形態について説明する。
【００７５】
尚、本第２の実施の形態に於ける装置の構成は上述した第１の実施の形態と同じであり、図１、図２と同一の部分には同一の参照番号を付して、その図示及び説明は省略し、異なる動作についてのみ説明する。
【００７６】
上述した第１の実施の形態では、録音中に撮影動作を実行するようにしていたが、本第２の実施の形態では、再生中に撮影動作を実行しようとするものである。
【００７７】
以下、図８のフローチャートを参照して、第２の実施の形態のデータ記録装置に於ける再生処理動作について説明する。
【００７８】
尚、図８のフローチャートに於いて、ステップＳ２１〜Ｓ２２、Ｓ２４〜Ｓ２７、Ｓ２９〜Ｓ３３の処理動作は、それぞれ上述した第１の実施の形態の図３のフローチャートに於けるステップＳ１〜Ｓ２、Ｓ４〜Ｓ７、Ｓ９〜Ｓ１３と同じであるので説明は省略し、異なるステップの動作のみ説明するする。
【００７９】
この再生処理のルーチンに入り、ステップＳ２１及びＳ２２にてメモリ残量及び電源電圧が判定される。そして、何れの判定もＯＫであれば、ステップＳ２３に移行して、液晶画面１６に再生情報が表示されると共に、図示されないスピーカ等を介して音声データが再生される。
【００８０】
図９（ａ）は、液晶画面１６に再生情報が表示された例を示した図である。例えば、液晶画面１６内には、再生状態であることを表すマーク１６ｄや残り再生時間を表す表示１６ｅ等が表示される。
【００８１】
そして、ステップＳ２４〜Ｓ２７にて、撮影準備動作とメモリ残量及び電源電圧が判定がなされた後、ステップＳ２８では、液晶画面１６に再生情報が表示されると共に、図示されないスピーカ等を介して音声データが再生される。
【００８２】
図９（ｂ）は、再生情報と撮影情報とが共に表示された液晶画面１６の表示例を示した図である。例えば、この場合、液晶画面１６には、残り再生時間を表す表示１６ｅと共に現在の撮影画像１６ｃが表示されている。
【００８３】
次に、ステップＳ２９〜Ｓ３３にて、スイッチ等の検出が行われる。ステップＳ３３では、撮影処理が停止されると共に、液晶画面１６から画像情報の表示が消去される。
【００８４】
図９（ｃ）は、この撮影処理停止による画像表示が消去されて再生情報のみが表示された状態の例を示した図である。この場合、図９（ａ）と同様に、再生情報に関する表示マーク１６ｄ、時計表示１６ｂが表示されている。
【００８５】
そして、ステップＳ３４に於いて、集中釦１８内の再生停止スイッチの状態が検出される。ここで、該再生停止スイッチが押されていなければ、上記ステップＳ２１に移行して、上述した処理が繰り返される。
【００８６】
一方、上記ステップＳ３４にて再生停止スイッチが押されていれば、続くステップＳ１５にて再生停止処理がなされた後、本ルーチンを抜ける。
【００８７】
このように、再生中に本体の状態変化を検出するか、または再生モードに付随するスイッチを操作することで自動的に撮影準備を行い、撮影準備完了と共に本体の表示部に再生及び撮影の２つのモードの表示を行うので、再生中の撮影を容易に操作可能とすることができる。
【００８８】
尚、上述した第１及び第２の実施の形態に於いては、撮影画像の準備中の表示は、実際の撮影画像以外にも、撮影準備中を表すものであれば、イラストや「ｒｅａｄｙ」、「ＯＫ」等の文字であってもよい。
【００８９】
また、上述した液晶画面は、電子ビューファインダで構成してもよいのはもちろんである。
【００９０】
更に、上述した第１及び第２の実施の形態では、単に画像として説明したが、これは静止画、動画の何れであってもよい。
【００９１】
【発明の効果】
以上のように本発明によれば、録音中の撮影が容易に操作可能なデータ記録装置を提供することができる。
【００９２】
そして、請求項１に記載の発明によれば、データ記録装置の録音中での撮影が容易に操作可能になる。
【００９３】
請求項２に記載の発明によれば、表示手段によって現在の操作を容易に確認することができる。
【００９４】
請求項３に記載の発明によれば、表示手段によって取得した画像データを容易に確認することができる。
【００９５】
請求項４に記載の発明によれば、撮影中でも音声データの記録中であることを確認することができる。
【００９６】
請求項５に記載の発明によれば、装置本体の姿勢に応じて容易に撮影状態であるか否かを確認することができる。
【００９７】
請求項６に記載の発明によれば、装置本体の姿勢に応じて容易に撮影状態であるか否かを確認することができる。
【００９８】
請求項７に記載の発明によれば、所定の音声キーワードによって容易に撮影状態であるか否かを確認することができる。
【００９９】
請求項８に記載の発明によれば、ファインダを覗いているか否かによって容易に撮影状態であるか否かを確認することができる。
【０１００】
請求項９に記載の発明によれば、所定時間以上無音であるか否かによって容易に撮影状態であるか否かを確認することができる。
【０１０１】
請求項１０に記載の発明によれば、音声データの入力の有無によって容易に撮影状態であるか否かを確認することができる。
【０１０２】
請求項１１に記載の発明によれば、所定のスイッチ操作が行われることで撮影状態を容易に確認することができる。
【０１０３】
請求項１２に記載の発明によれば、撮影処理が終了したことを容易に確認することができる。
【図面の簡単な説明】
【図１】本発明の第１の実施の形態であるデータ記録装置の基本的な構成を示したブロック図である。
【図２】本発明の第１の実施の形態に係るデータ記録装置の具体的な構成を示した外観図であり、（ａ）は表面側を示した図、（ｂ）は裏面側を示した図である。
【図３】本発明の第１の実施の形態のデータ記録装置に於ける録音処理動作について説明するフローチャートである。
【図４】（ａ）は液晶画面１６に録音情報が表示された例を示した図、（ｂ）は録音情報と撮影情報とが共に表示された液晶画面１６の表示例を示した図、（ｃ）は撮影処理停止による画像表示が消去されて録音情報のみが表示された状態の例を示した図である。
【図５】データ記録装置の録音時の使用状態の例を示した図である。
【図６】データ記録装置の撮影時の使用状態の例を示した図である。
【図７】データ記録装置本体１５を机等に載置した状態の例を示した図でり、（ａ）は外観斜視図、（ｂ）は本体１５の下方側から見た図である。
【図８】本発明の第２の実施の形態のデータ記録装置に於ける再生処理動作について説明するフローチャートである。
【図９】（ａ）は液晶画面１６に再生情報が表示された例を示した図、（ｂ）は再生情報と撮影情報とが共に表示された液晶画面１６の表示例を示した図、（ｃ）は撮影処理停止による画像表示が消去されて再生情報のみが表示された状態の例を示した図である。
【符号の説明】
１…音声データ記録部、２…画像データ記録部、３…表示部、４…第１の検出部、５…画像記録準備部、６…第２の検出部、７…画像記録準備解除部、８…構図決定部、９…制御部、１０…音声再生部、１５…データ記録装置の本体、１６…液晶画面、１７…録音釦、１８…集中釦、１９…メニュー釦、２０…消去釦、２２…レリーズ釦、２５…撮像レンズ、２６…ストロボ、２７…電源スイッチ、２８…電池蓋。
【図１】
2005012703.tif 000003
【図２】
2005012703.tif 000004
【図３】
2005012703.tif 000005
【図４】
2005012703.tif 000006
【図５】
2005012703.tif 000007
【図６】
2005012703.tif 000008
【図７】
2005012703.tif 000009
【図８】
2005012703.tif 000010
【図９】
2005012703.tif 000011